(57)【要約】【課題】使い勝手が良くかつ大容量の収納家具を提供すること。【解決手段】本発明の収納家具１は、前面板２と、複数の棚板７ａ〜７ｂを備える。複数の棚板７ａ〜７ｂは、前面板２の裏側において所定の間隔で上下に配置された第１の棚板組７ａ〜７ａ及び第２の棚板組７ｂ〜７ｂによって構成される。前面板２は、第１の棚板組７ａ〜７ａ及び第２の棚板組７ｂ〜７ｂの右又は左の一方端から手を入れることが可能な大きさの開口部８を含む。これにより、棚板７ａ〜７ｂによって大容量の収納スペースが確保され、開口部８を介して、棚板７ａ〜７ｂに収容されている物品を使い勝手良く取り出すことができる。【選択図】図１
2010284494.tif 000002
【特許請求の範囲】
【請求項１】
前面板及び複数の棚板を少なくとも備える収納家具であって、
前記複数の棚板は、前記前面板の裏側において所定の間隔で上下に配置された少なくとも一組の棚板を含み、
前記前面板は、前記一組の棚板の右及び／又は左の一方端から手を入れることが可能な大きさの少なくとも一つの開口部を含むことを特徴とする、収納家具。
【請求項２】
前記複数の棚板は、
前記前面板の裏側において所定の間隔で上下に配置された第１の棚板組と、
前記第１の棚板組から左側に間隔を開けて所定の間隔で上下に配置された第２の棚板組とを含み、
前記開口部は、前記第１の棚板組の左側端と前記第２の棚板組の右側端との間に上下に連なって開けられた開口であることを特徴とする、請求項１に記載の収納家具。
【請求項３】
さらに、
前記前面板と対向して配置された背面板と、
前記前面板及び前記背面板の右側端部を連接する右側面板と、
前記前面板及び前記背面板の左側端部を連接する左側面板と、
前記前面板及び前記背面板の上側端部を連接する上側面板と、
前記前面板及び前記背面板の下側端部を連接する下側面板とを備え、
前記第１の棚板組は、前記前面板と前記背面板との間において所定の間隔で上下に配置されており、
前記第２の棚板組は、前記前面板と前記背面板との間において前記第１の棚板組から右側に間隔を開けて上下に配置されていることを特徴とする、請求項２に記載の収納家具。
【請求項４】
前記収納家具は、前記前面板を少なくとも含む箱状の外側枠体によって外筐が構成されており、
前記少なくとも一組の棚板組は、前記外側枠体の中空内部で上下に固定されており、
前記外側枠体の一部が壁面に埋め込まれて固定されることによって、前記収納家具は、壁面に固定されることを特徴とする、請求項１又は２に記載の収納家具。
【請求項５】
前記収納家具が壁面を構成する部材に固定されることによって、耐震材として機能することを特徴とする、請求項４に記載の収納家具。
【請求項６】
前記収納家具は、前記前面板を少なくとも含む箱状の外側枠体によって外筐が構成されており、
前記少なくとも一組の棚板組は、前記外側枠体の中空内部で上下に固定されており、
前記外側枠体の一部が壁面に取り付けられることによって、前記収納家具は、壁面に固定されることを特徴とする、請求項１又は２に記載の収納家具。
【請求項７】
前記収納家具は、前記前面板を少なくとも含む箱状の外側枠体によって外筐が構成されており、
前記少なくとも一組の棚板組は、前記外側枠体の中空内部で上下に固定されており、
前記外側枠体は、自立可能であり、
前記収納家具は、床に自立可能に置くことが可能であることを特徴とする、請求項１又は２に記載の収納家具。
【請求項８】
前記外側枠体は、上面に取っ手を有することを特徴とする、請求項７に記載の収納家具。
【請求項９】
前記開口部から視認可能な位置に設けられた発光部材をさらに備える、請求項１〜８のいずれかに記載の収納家具。
【請求項１０】
停電時に前記発光部材に電源を供給する蓄電部をさらに備える、請求項９に記載の収納家具。
【請求項１１】
前記発光部材の前面の少なくとも一部に設けられた第１の蓄光部をさらに備える、請求項９又は１０に記載の収納家具。
【請求項１２】
少なくとも一つの前記棚板は、前記開口部から視認可能な位置に第２の蓄光部を含むことを特徴とする、請求項１〜１１のいずれかに記載の収納家具。
【請求項１３】
前記開口部の周囲を示すように配置された第３の蓄光部をさらに備えることを特徴とする、請求項１〜１２のいずれかに記載の収納家具。
【請求項１４】
少なくとも一つの前記棚板は、防災用具を収容するために用いられることを特徴とする、請求項１〜１３のいずれかに記載の収納家具。
【請求項１５】
前記防災用具は、帯状部材に取り付けられた少なくとも一つの網状袋体に収容されており、
前記収納家具は、前記帯状部材を取り外し可能に固定するための固定手段をさらに備えることを特徴とする、請求項１４に記載の収納家具。
【請求項１６】
前記収納家具は、前記前面板における開口部以外の部分に、電子機器又は鏡をさらに備えることを特徴とする、請求項１〜１５のいずれかに記載の収納家具。
【請求項１７】
前記収納家具は、前記鏡の回りに発光部材をさらに備えることを特徴とする、請求項１６に記載の収納家具。
【請求項１８】
前記収納家具は、前記前面板における開口部以外の部分に、開閉可能な扉を有することを特徴とする、請求項１〜１５のいずれかに記載の収納家具。
【請求項１９】
前記収納家具は、前記前面板における開口部を開閉するための扉又は蓋を有することを特徴とする、請求項１〜１８のいずれかに記載の収納家具。
【請求項２０】
前記収納家具は、内部に、コンセントを有することを特徴とする、請求項１〜１９のいずれかに記載の収納家具。
【請求項２１】
前記収納家具は、内部に、照明をさらに備え、
前記収納家具は、外部に、前記照明をオンオフするためのスイッチをさらに備えることを特徴とする、請求項１〜２０のいずれかに記載の収納家具。
【請求項２２】
前記収納家具は、さらに、
前記一組の棚板における前記開口部側に形成された空間に立脚する柱部材と、
前記柱部材を左右に移動可能に保持するスライド手段とを備えることを特徴とする、請求項１〜２１のいずれかに記載の収納家具。
【請求項２３】
前記柱部材は、前記スライド手段に、磁力によって保持されていることを特徴とする、請求項２２に記載の収納家具。
【請求項２４】
前記スライド手段は、
前記柱部材に設けられた金属製又は磁石製のリング状部材と、
前記リング状部材に磁力によって着脱可能な着脱部材とを含むことを特徴とする、請求項２３に記載の収納家具。
【請求項２５】
前記一組の棚板の内、少なくとも一つの棚板は、左右にスライドすることを特徴とする、請求項１〜２４のいずれかに記載の収納家具。
【請求項２６】
前記収納家具は、前記開口部から視認可能な位置に設けられた発光部材をさらに備え、
前記発光部材は、樹脂板を介して間隙を設けて対向して配置された二つのＥＬシートを備えることを特徴とする、請求項１〜２５のいずれかに記載の収納家具。
【請求項２７】
前記樹脂板は、凹状であることを特徴とする、請求項２６に記載の収納家具。
【請求項２８】
耐震性枠体によって外側面が覆われており、壁面内の柱に固定されることを特徴とする、請求項１〜２７のいずれかに記載の収納家具。
【請求項２９】
前面板及び複数の棚板を少なくとも備える収納家具であって、
前記複数の棚板は、前記前面板の裏側において所定の間隔で上下に配置された少なくとも一組の棚板を含み、
前記一組の棚板の右及び／又は左の一方端から手を入れることが可能な大きさの少なくとも一つの開口部を含むことを特徴とする、収納家具。
【請求項３０】
さらに、前記前面板と対向して配置された背面板と、
右側面板と、
左側面板と、
上側面板と、
下側面板とを備え、
前記一組の棚板は、前記前面板と前記背面板との間において所定の間隔で上下に配置されており、
前記一組の棚板の端部と前記右側面板又は前記左側面板との間には前記前面板を配置しないことによって、前記開口部が形成されていることを特徴とする、請求項２９に記載の収納家具。
【発明の詳細な説明】
【技術分野】
【０００１】
本発明は、収納家具に関し、より特定的には、防災用具等を収納可能な収納家具に関する。
【背景技術】
【０００２】
消火器や懐中電灯、携帯ラジオ等の防災用具は、玄関の棚等に収容されることが多い。しかし、マンション等の玄関は狭く、防災用具を収納するスペースを確保することが困難である。上記問題を解決するために、特許文献１及び２に示すような壁面埋め込みタイプの収納箱が提案されている。
【先行技術文献】
【特許文献】
【０００３】
【特許文献１】特開２００５−２９６５７９号公報
【特許文献２】特開２００８−６３９３４号公報
【０００４】
特許文献１に記載されている壁埋め込み型常設防災用収納箱は、防災用具の常備収納手段として、間仕切壁面に埋め込み型収納箱を設置するものである。上記手法により、壁を有効利用して防災用具を収納することができる。
【０００５】
特許文献２に記載されている壁埋め込み収納ボックスは、正面開口部と、蓋体と、拡張ボックスとを備え、見栄えが良くかつ多くの収納スペースを確保することができる。
【発明の概要】
【発明が解決しようとする課題】
【０００６】
しかし、特許文献１及び２に示されるような収納箱であったとしても、容量は限られたものである。たとえば、家族全員の防災用具を収容するだけのスペースを従来の収納箱で確保することは難しい。かといって、特許文献１及び２に示されるような収納箱を単純に大きくしたのでは、使い勝手が悪い。
【０００７】
それゆえ、本発明は、使い勝手が良くかつ大容量の収納家具を提供することを目的とする。
【課題を解決するための手段】
【０００８】
上記課題を解決するために、本発明は、以下のような特徴を有する。本発明は、前面板及び複数の棚板を少なくとも備える収納家具であって、複数の棚板は、前面板の裏側において所定の間隔で上下に配置された少なくとも一組の棚板を含み、前面板は、一組の棚板の右及び／又は左の一方端から手を入れることが可能な大きさの少なくとも一つの開口部を含むことを特徴とする。
【０００９】
好ましくは、複数の棚板は、前面板の裏側において所定の間隔で上下に配置された第１の棚板組と、第１の棚板組から左側に間隔を開けて所定の間隔で上下に配置された第２の棚板組とを含み、開口部は、第１の棚板組の左側端と第２の棚板組の右側端との間に上下に連なって開けられた開口であると良い。
【００１０】
好ましくは、さらに、前面板と対向して配置された背面板と、前面板及び背面板の右側端部を連接する右側面板と、前面板及び背面板の左側端部を連接する左側面板と、前面板及び背面板の上側端部を連接する上側面板と、前面板及び背面板の下側端部を連接する下側面板とを備え、第１の棚板組は、前面板と背面板との間において所定の間隔で上下に配置されており、第２の棚板組は、前面板と背面板との間において第１の棚板組から右側に間隔を開けて上下に配置されていると良い。
【００１１】
好ましくは、収納家具は、前面板を少なくとも含む箱状の外側枠体によって外筐が構成されており、少なくとも一組の棚板組は、外側枠体の中空内部で上下に固定されており、外側枠体の一部が壁面に埋め込まれて固定されることによって、収納家具は、壁面に固定されると良い。好ましくは、収納家具が壁面を構成する部材に固定されることによって、耐震材として機能すると良い。
【００１２】
好ましくは、収納家具は、前面板を少なくとも含む箱状の外側枠体によって外筐が構成されており、少なくとも一組の棚板組は、外側枠体の中空内部で上下に固定されており、外側枠体の一部が壁面に取り付けられることによって、収納家具は、壁面に固定されると良い。
【００１３】
好ましくは、収納家具は、前面板を少なくとも含む箱状の外側枠体によって外筐が構成されており、少なくとも一組の棚板組は、外側枠体の中空内部で上下に固定されており、外側枠体は、自立可能であり、収納家具は、床に自立可能に置くことが可能であると良い。
【００１４】
好ましくは、外側枠体は、上面に取っ手を有すると良い。
【００１５】
好ましくは、開口部から視認可能な位置に設けられた発光部材をさらに備えると良い。
【００１６】
好ましくは、停電時に発光部材に電源を供給する蓄電部をさらに備えると良い。
【００１７】
好ましくは、発光部材の前面の少なくとも一部に設けられた第１の蓄光部をさらに備えると良い。
【００１８】
好ましくは、少なくとも一つの棚板は、開口部から視認可能な位置に第２の蓄光部を含むと良い。
【００１９】
好ましくは、開口部の周囲を示すように配置された第３の蓄光部をさらに備えると良い。
【００２０】
好ましくは、少なくとも一つの棚板は、防災用具を収容するために用いられると良い。
【００２１】
好ましくは、防災用具は、帯状部材に取り付けられた少なくとも一つの網状袋体に収容されており、収納家具は、帯状部材を取り外し可能に固定するための固定手段をさらに備えると良い。
【００２２】
好ましくは、収納家具は、前面板における開口部以外の部分に、電子機器又は鏡をさらに備えると良い。好ましくは、収納家具は、鏡の回りに発光部材をさらに備えると良い。
【００２３】
好ましくは、収納家具は、前面板における開口部以外の部分に、開閉可能な扉を有すると良い。
【００２４】
好ましくは、収納家具は、前面板における開口部を開閉するための扉又は蓋を有すると良い。
【００２５】
好ましくは、収納家具は、内部に、コンセントを有すると良い。
【００２６】
好ましくは、収納家具は、内部に、照明をさらに備え、収納家具は、外部に、照明をオンオフするためのスイッチをさらに備えると良い。
【００２７】
好ましくは、収納家具は、さらに、一組の棚板における開口部側に形成された空間に立脚する柱部材と、柱部材を左右に移動可能に保持するスライド手段とを備えると良い。
【００２８】
好ましくは、柱部材は、スライド部材に、磁力によって保持されていると良い。
【００２９】
好ましくは、スライド手段は、柱部材に設けられた金属製又は磁石製のリング状部材と、リング状部材に磁力によって着脱可能な着脱部材とを含むと良い。
【００３０】
好ましくは、一組の棚板の内、少なくとも一つの棚板は、左右にスライドすると良い。
【００３１】
好ましくは、収納家具は、開口部から視認可能な位置に設けられた発光部材をさらに備え、発光部材は、樹脂板を介して間隙を設けて対向して配置された二つのＥＬシートを備えると良い。
【００３２】
好ましくは、樹脂板は、凹状であると良い。
【００３３】
好ましくは、上記収納家具は、耐震性枠体によって外側面が覆われており、壁面内の柱に固定されると良い。
【００３４】
また、本発明は、前面板及び複数の棚板を少なくとも備える収納家具であって、複数の棚板は、前面板の裏側において所定の間隔で上下に配置された少なくとも一組の棚板を含み、一組の棚板の右及び／又は左の一方端から手を入れることが可能な大きさの少なくとも一つの開口部を含むことを特徴とする。
【００３５】
好ましくは、さらに、前面板と対向して配置された背面板と、右側面板と、左側面板と、上側面板と、下側面板とを備え、一組の棚板は、前面板と背面板との間において所定の間隔で上下に配置されており、一組の棚板の端部と右側面板又は左側面板との間には前面板を配置しないことによって、開口部が形成されていると良い。
【発明の効果】
【００３６】
本発明によれば、少なくとも一組の棚板及び開口部を備える収納家具が提供されることになる。複数の棚板によって一組の棚板が構成されるので、従来と異なり、物品を収容するためのスペースを多く確保することができる。また、従来と異なり、収容箱を単純に大きくしただけの構成ではなく、開口部から棚板に手を入れて物品を取ることができる構成となっている。よって、防災用具だけでなく日用品など様々な物品を収容することができる。防災用具は、非常時のみに利用されるものである。したがって、狭い家屋において、わざわざ防災用具のためだけの収納家具を用いることには、抵抗感がある。しかし、本発明のように壁に埋め込んだり、壁に取り付けたりすることができる程度の薄型の家具で、かつ、日用品も収容することができる家具であれば、家屋に設置されていたとしても、あまり邪魔であるとは感じない。このように、本発明は、従来のように防災に特化するだけでなく、日常での使用も考慮にいれて構成された収納家具である。よって、使い勝手が良くかつ大容量の収納家具が提供されることとなる。
【００３７】
防災用具は、開口部の斜めから見た場合に視認できる程度であり、正面から見た場合は、視認されない。よって、本発明の収容家具の見栄えは、従来品から劣るものではない。
【００３８】
好ましくは、第１の棚板組と第２の棚板組を用いるとよい。これにより、どちらか一方には、防災用具を収容し、他方には、日用品を収容するなどといった使用方法が可能となる。その場合、開口部は、第１の棚板組と第２の棚板組との間に形成されているので、省スペースで、物品を取り出すことが可能となる。
【００３９】
壁面に埋め込んだり、壁面に固定したりする場合、たとえば、マンションなどを予め建築する際に、最初から本発明の収納家具を提供することができる。したがって、マンション建築業者と協力することによって、本発明の収納家具を供給することができる。これにより、非常時の備えを普及させることができ、社会的意義は大きい。また、収納家具を隣り合う柱に固定することによって、当該収納家具が耐震材として機能することができ、壁面に埋め込むことによって、耐震構造が劣化することが防止できる。
【００４０】
本発明は、場合によっては、自立型の収容家具として使用することもできる。従来のように、防災用具だけを入れる箱体を部屋に載置しておくのは、普段邪魔になる。しかし、本発明のように、大容量の収容家具であり、日用品も収容することができる家具であれば、部屋に載置したとしても、それほど邪魔にならない。なお、自立型の収容家具にする場合、上面に取っ手を設ければ当該収容家具の移動が容易になる。
【００４１】
開口部から視認可能な位置に発光部材を設けることによって、暗い状況でも物品の出し入れが容易になる。さらに、発光部材に対して停電時に電源を供給する蓄電部を設ければ、停電でも容易に物品を取り出すことが可能となる。
【００４２】
第１の蓄光部を設けることによって、発光部材が光らなくなっても、開口部の位置を視認することが可能となる。第２の蓄光部を設けることによって、発光部材が光らなくなっても、棚板の位置を視認することが可能となる。第３の蓄光部を設けることによって、発光部材が光らなくなっても、開口部の位置を視認することが可能となる。
【００４３】
防災用具を帯状部材に取り付けられた少なくとも一つの網状袋体に収容すれば、防災用具を容易に取り出して、肩にかけてすぐに避難することが可能となる。網状にすることによって、指が引っかかりやすくなり、防災用具の取り出しが容易になる。従来のように、リュックサックに防災用具を入れている場合に比べて、避難に要する時間が格段に早くなる。また、固定手段で、帯状部材と固定することによって、あわてていても、防災用具が収納家具の奥にしまわない。これにより、より迅速な避難が可能となる。
【００４４】
前面板の開口部以外の部分に電子機器や鏡を備えることによって、日常での使用も兼ねた収容家具が提供されることになる。これにより、本発明の収容家具の購買意欲が増大する。また、電子機器として、防犯装置や非常警報装置などを用いれば、警備会社と協力して、本発明の収容家具を供給することができる。これにより、非常時の備えを普及させることができ、社会的意義は大きい。また、鏡の回りに発光部材を備えることによって、暗がりでも、姿を見ることが可能となる。
【００４５】
開口部以外に扉を取り付けることによって、棚板に収容されている物品を開口部以外からも取り出すことができ、さらに、使い勝手が向上する。開口部に扉又は蓋を取り付けることによって、普段は、防災用具が完全に隠れているので、デザイン性が向上する。
【００４６】
収納家具の内部にコンセントを設けることによって、携帯電話など日用品への電源の供給が可能となる。これにより、使い勝手がさらに向上する。
【００４７】
また、照明を設けることによって、必要なときにだけ、収納家具の中を照らし、必要でないときは、暗くしておくことが可能となる。よって、防災用具が目立たなくなり、見栄えの良い収納家具が提供されることとなる。
【００４８】
また、スライド可能な柱部材を設けることによって、棚に収容されている物品を隠すことができる。磁力を用いれば、安価でかつ簡易な方法で柱部材が保持されることとなる。リング状部材と着脱部材とを用いてスライド手段を構成すれば、簡易な構成で、柱部材をスライドさせることが可能となる。
【００４９】
棚板が左右にスライドすれば、収容されている物品の取り出しが容易となる。
【００５０】
樹脂板を介して対向する二つのＥＬシートを用いれば、発光部材の前面だけでなく、側面からも光を発することが可能となる。これにより、棚板に収容されている物品の確認が容易となる。樹脂板を凹状にすれば、側面をより明るく照らすことが可能となる。
【００５１】
耐震性枠体によって外側面を覆って、壁面内の柱に収納家具を固定すれば、建物の耐震性が強化される。
【００５２】
開口部を棚板の右及び／又は左の端から手を入れることができるように設けることによって、使い勝手が良くかつ大容量の収納家具が提供されることとなる。たとえば、棚板の端部と右側面板又は左側面板との間には前面板を配置しないようにして、開口部を設ければ、収容物が外部からは見えにくい収納家具が提供されることとなる。
【００５３】
本発明のこれらおよび他の目的、特徴、局面、効果は、添付図面と照合して、以下の詳細な説明から一層明らかになるであろう。
【図面の簡単な説明】
【００５４】
【図１】図１は、本発明の第１の実施形態に係る収納家具１の斜視図である。
【図２】図２は、収納家具１を図１とは異なる方向から見たときの斜視図である。
【図３】図３は、収納家具１の前面板２を分解したときの分解斜視図である。
【図４】図４は、第１の実施形態で用いられる防災用ネットショルダー１３の構成を示す概略図である。
【図５】図５は、面ファスナー１０，２１を接合して、防災用ネットショルダー１３を収納家具１に収納したときの様子を示す斜視図である。
【図６】図６は、発光部材１１の構成を示す斜視図である。
【図７】図７は、収納家具１の外側枠体の一部を壁面に埋め込んで収納家具１を固定する場合の固定方法を示す図である。
【図８】図８は、収納家具１の外側枠体の一部を壁面に固定して収納家具１を固定する場合の固定方法を示す図である。
【図９】図９は、本発明の第２の実施形態に係る収納家具１ａの斜視図である。
【図１０】図１０は、本発明の第３の実施形態に係る収納家具１ｂの斜視図である。
【図１１】図１１は、本発明の第４の実施形態に係る収納家具１ｃの斜視図である。
【図１２】図１２は、本発明の第５の実施形態に係る収納家具１ｄの斜視図である。
【図１３】図１３は、本発明の第６の実施形態に係る収納家具１ｅの斜視図である。
【図１４】図１４は、本発明の第７の実施形態に係る収納家具１ｆの斜視図である。
【図１５】図１５は、本発明の第８の実施形態に係る収納家具１ｇの斜視図である。
【図１６】図１６は、本発明の第９の実施形態に係る収納家具１ｈの内部正面図である。
【図１７】図１７は、収納家具１ｈの斜視図である。
【図１８】図１８は、スライド部材１００の構造を示す斜視図である。
【図１９】図１９は、スライド部材１００の他の構造を示す斜視図である。
【図２０】図２０は、本発明の第１０の実施形態に係る収納家具１ｉの内部正面図である。
【図２１】図２１は、本発明の第１１の実施形態における発光部材１１ｃの断面図である。
【図２２】図２２は、本発明の第１２の実施形態に係る収納家具１ｊの斜視図である。
【図２３】図２３は、本発明の第１３の実施形態に係る収納家具１ｋの分解斜視図である。
【図２４】図２４は、他のスライド部材１００ａの構成を示す斜視図である。
【発明を実施するための形態】
【００５５】
（第１の実施形態）
図１は、本発明の第１の実施形態に係る収納家具１の斜視図である。図２は、収納家具１を図１とは異なる方向から見たときの斜視図である。図３は、収納家具１の前面板２を分解したときの分解斜視図である。図１〜図３に示すように、収納家具１は、前面板２と、左側面板３ａと、右側面板３ｂと、背面板４と、下側面板５と、上側面板６と、第１の棚板組７ａ〜７ａと、第２の棚板組７ｂ〜７ｂと、蓄光部９と、面ファスナー１０と、発光部材１１と、鏡１２とを備える。収納家具１は、玄関やリビング、寝室などの壁に埋め込まれたり、壁に取り付けられたり、床に据え置かれたりする。収納家具１の取り付け方法については、後述する。
【００５６】
背面板４は、前面板２と対向して配置されている。右側面板３ｂは、前面板２及び背面板４の右側端部を連接する。左側面板３ａは、前面板２及び背面板４の左側端部を連接する。上側面板６は、前面板２及び背面板４の上側端部を連接する。下側面板５は、前面板２及び背面板４の下側端部を連接する。前面板２、左側面板３ａ、右側面板３ｂ、背面板４、下側面板５、及び上側面板６によって、箱状の外側枠体が形成され、外筐が構成される。外筐のサイズは、特に限定されるものではないが、たとえば、横幅約８００ｍｍ、高さ約１８００ｍｍ、奥行き約１４０ｍｍである。
【００５７】
第１の棚板組７ａ〜７ａは、前面板２の右側裏面で、かつ、前面板２と背面板４との間において、所定の間隔で上下に配置されている。第１の棚板組７ａ〜７ａを上下に配置するための当該所定の間隔は、等間隔であっても、等間隔でなくても良い。図１〜図３に示す例では、第１の棚板組７ａ〜７ａを約上半分において等間隔に配置している。一番下の棚板７ａから下の約下半分には、棚板を配置せずに空間２２（図３参照）を形成している。第１の棚板組７ａ〜７ａによって形成された空間には、鍵や携帯電話、財布など、比較的小さい物品を収容することができる。空間２２には、消火器や傘など、縦長の物品を収容することができる。
【００５８】
第２の棚板組７ｂ〜７ｂは、前面板２の左側裏面で、かつ、前面板２と背面板４との間において、第１の棚板組７ａ〜７ａから右側に間隔を開けて、所定の間隔で上下に配置されている。第２の棚板組７ｂ〜７ｂを上下に配置するための当該所定の間隔は、等間隔であっても、等間隔でなくても良い。図１〜図３に示す例では、第２の棚板組７ｂ〜７ｂを上下に等間隔に配置している。第２の棚板組７ｂ〜７ｂによって形成された空間には、後述の防災用ネットショルダー１３（図４参照）など、横長の物品を収容することができる。
【００５９】
前面板２は、開口部８を含む。開口部８は、第１の棚板組７ａ〜７ａの左側端と、第２の棚板組７ｂ〜７ｂの右側端との間に上下に連なって開けられた開口である。開口部８の幅は、特に限定されるものではないが、人の手が入る程度の大きさであるとよい。たとえば、上記のような外筐のサイズである場合、開口部８の幅は、約１５０ｍｍである。これにより、棚板７ａと前面板２と背面板４とによって形成された空間に、棚板７ａの左側一方端から手を入れて、棚板７ａに載せられた何らかの物品を、開口部８を介して取り出すことが可能となる。また、棚板７ｂと前面板２と背面板４とによって形成された空間に、棚板７ｂの右側一方端から手を入れて、棚板７ｂに載せられた何らかの物品を、開口部８を介して取り出すことが可能となる。
【００６０】
発光部材１１は、有機ＥＬ（Ｅｌｅｃｔｒｏ  Ｌｕｍｉｎｅｓｃｅｎｃｅ）や無機ＥＬ、ＬＥＤ、蛍光灯、白熱灯などの発光可能な部材である。発光部材１１は、開口部８から視認可能な位置に設けられている。図１〜図３では、発光部材１１として、有機ＥＬを開口部８の大きさと同様に上下に配置した例を示している。発光部材１１には、何らかの電源が提供されている。さらに、発光部材１１には、停電時に電源を供給するための蓄電部（図示せず）が接続されている。通常、発光部材１１は、発光しており、開口部８付近に形成されている空間を照らしている。玄関などの暗い箇所に収納家具１を設置した場合、開口部８付近は暗く、棚に置かれた物品を見ることができない。発光部材１１によって、開口部８付近が照らされることによって、棚に置かれた物品を見ることが可能となる。仮に、災害時に、停電が発生したとしても、蓄電部（図示せず）から発光部材１１に電源が供給されるので、開口部８付近が照らされることになる。なお、発光部材１１は、常時光っていても良いし、光センサ（図示せず）などによって暗いときだけ光っていても良いし、人感知センサ（図示せず）などによって人が近づいたときだけ光っても良い。停電時、蓄電部（図示せず）は、当該センサに電源を供給すると良い。なお、発光部材１１の形状は、図示した例に限られない。たとえば、何が収納されているか視認しやすいように背面板４の広範囲に渡って発光部材１１（ＥＬシートなど）を配置して、棚板によって形成される空間を光らせても良い。
【００６１】
棚板７ａ，７ｂは、それぞれ、右又は左側一方端に、蓄光部９を含む。蓄光部９は、たとえば、蓄光テープや蓄光塗料などで形成されている。蓄光部９は、暗くなると、ほのかに光を放つ。これにより、棚板７ａ，７ｂの右又は左側一方端の位置が示される。よって、開口部８付近が暗かったとしても、物品の配置場所を確認することができる。
【００６２】
図４は、第１の実施形態で用いられる防災用ネットショルダー１３の構成を示す概略図である。図４において、防災用ネットショルダー１３は、帯状部材１４と、網状袋体１５，１６，１７と、面ファスナー２１とを含む。帯状部材１４は、人の肩から胴体にかけることができる程度の長さを有する。網状袋体１５，１６，１７は、内部に物品（消火剤２０ａや懐中電灯２０ｂ、防煙フード２０ｃなど）を収容することができるように開閉可能になっている。災害時に、防災用ネットショルダー１３を肩から胴体に掛けて、避難することができる。なお、網状袋体１５，１６，１７には、上記以外に、預金通帳や現金などの貴重品、地図、緊急連絡先、救急用具など、どのような物品を入れても良い。網状袋体１５，１６，１７を用いることによって、防災用ネットショルダー１３を取り出すとき、網状部分や帯状部分のどこかに指が引っかかる。よって、防災用ネットショルダー１３を容易に取り出すことができる。
【００６３】
面ファスナー２１は、収納家具１に設けられた面ファスナー１０と接合することができる。このように、収納家具１は、帯状部材１４を取り外し可能に固定するための固定手段を有している。図５は、面ファスナー１０，２１を接合して、防災用ネットショルダー１３を収納家具１に収納したときの様子を示す斜視図である。災害時には、あわてて防災用ネットショルダー１３を取り出す必要がある。しかし、開口部８から手を入れた場合、防災用ネットショルダー１３を奥の方に押してしまって、防災用ネットショルダー１３が取り出しにくくなるかもしれない。固定手段を設けることによって、防災用ネットショルダー１３が奥に押されるのを防止することができる。よって、防災用ネットショルダー１３が取り出しやすくなる。また、地震で収納家具１が揺れたとしても、防災用ネットショルダー１３は、飛び出さない。なお、面ファスナー１０，２１以外に、周知のあらゆる手法によって、固定手段が収納家具１に設けられていて良い。
【００６４】
図６は、発光部材１１の構成を示す斜視図である。図６において、発光部材１１は、蓄光部２３を含む。なお、図１〜３，５において、図面を見やすくするために、蓄光部２３の記載を省略している。蓄光部２３は、暗くなるとほのかに光る。これにより、発光部１１が光らなくなったとしても、開口部８の位置を確認することができる。
【００６５】
なお、透明性の蓄光部２３を利用する場合、蓄光部２３は、発光部材１１の全面に形成されていても良い。ただし、発光部材１１の少なくとも一部に蓄光部２３が設けられていたら所望の効果が得られる。
【００６６】
図７は、収納家具１の外側枠体の一部を壁面に埋め込んで収納家具１を固定する場合の固定方法を示す図である。図７は、図１におけるＡ−Ａ断面を示す。図７において、柱３０及び柱３１は、壁を構成するための柱である。通常、柱３０及び柱３１の前面に壁板が取り付けられることによって、壁が形成される。ここでは、壁板を取り付けずに、収納家具１の外側枠体の一部が壁面に埋め込まれて固定される。すなわち、固定金具３２ａは、左側面板３ａを柱３０に固定する。固定金具３２ｂは、右側面板３ｂを柱３１に固定する。これにより、収納家具１は、壁の一部に埋め込まれることになる。収納家具１を鉄やその他の頑強な素材によって形成することによって、収納家具１は、柱３０と柱３１との間の筋交として機能することとなる。これにより、収納家具１が耐震材の役割も果たすことになる。なお、柱以外に、梁や土台など、壁面を構成する部材に、収納家具１が固定されれば、収納家具１が耐震材の役割を果たすことになる。なお、図７では、収納家具１が少し出っ張っているが、柱３０，３１の太さによっては、収納家具１が完全に壁に埋め込まれても良い。なお、固定金具３２ａ，３２ｂは、収納家具１を柱に固定することができるのであれば、周知のあらゆる手段に置き換えることができる。なお、図７において、鏡１２は、前面板２に埋め込まれているが、前面板２に貼り付けられていても良い。また、地震などの災害時に鏡１２が割れて、被害が拡大しないようにするために、鏡１２は、破砕防止鏡であることが望ましい。
【００６７】
図８は、収納家具１の外側枠体の一部を壁面に固定して収納家具１を固定する場合の固定方法を示す図である。図８は、図１におけるＡ−Ａ断面を示す。図８において、壁面３３と左側面板３ａとが、Ｌ字金具３３ｃによって固定されている。さらに、壁面３３と右側面板３ｂとが、Ｌ字金具３３ｄによって固定されている。これにより、収納家具１が壁面に固定されることとなる。なお、図８において、鏡１２は、前面板２に埋め込まれているが、前面板２に貼り付けられていても良い。
【００６８】
このように、本発明の第１の実施形態によれば、前面板２の裏側に上下に配置された第１及び第２の棚板組７ａ〜７ａ及び７ｂ〜７ｂを設けることによって、防災用具や日用品などの物品を収容するスペースを大容量に確保することができる。棚を上下に設けることによって、従来の収納箱を単純に大きくした場合よりも、使い勝手が良くなる。さらに、第１及び第２の棚板組７ａ〜７ａ及び７ｂ〜７ｂの右及び左の一方端から、手を入れることが可能な大きさの開口部８を設けることによって、収容されている物品を、開口部８から手を入れるだけで、簡単に出し入れすることができる。そのため、災害時などの緊急を要するときに、防災用具などを簡単に取り出すことができると共に、日常時にも、日用品を簡便に収容することができる。よって、日常時及び災害時、両方に重宝する収納家具１が提供されることとなる。また、収納家具１によれば、地震の際、従来の収納家具（たとえば、食器棚など）のように扉が開いて中の物が飛び出すということが防止される。
【００６９】
また、収納家具１は、薄型であるので、壁面に埋め込むこともできるし、壁面に固定することも可能となる。これにより、収納家具１の転倒が防止される。
【００７０】
開口部８から視認可能な位置に発光部材１１を設けることによって、薄暗い玄関などに収納家具１を設置したとしても、開口部８の位置を確認したり、収納されている物品を確認したりすることができる。これにより、日常時及び災害時、両方での使い勝手が向上する。また、発光部材１１に蓄電部を接続することによって、停電時にも、開口部８等の位置を確認することが可能となる。そのため、災害時に極めて役に立つ収納家具１が提供されることとなる。
【００７１】
発光部材１１に蓄光部２３を設けたり、棚板７ａ，７ｂに蓄後部９を設けることによって、発光部材１１の発光が停止した状況においても、物品の出し入れが可能となる。
【００７２】
収納家具１によって形成される収納空間は、横長のスペースである。このような横長のスペースに防災用具を取り出し容易に置くためには、帯状部材１４に少なくとも一つの網状袋体１５〜１７を取り付けた防災用ネットショルダー１３に防災用具を収容して、当該防災用ネットショルダー１３を当該収納空間に載置しておくのがよい。また、固定手段（面ファスナー１０，２１など）によって、防災用ネットショルダー１３を収納家具１に取り外し可能に固定しておくことによって、災害時にあわてていたとしても、容易に、防災用ネットショルダー１３を取り出すことが可能となる。
【００７３】
以下、本発明の変形例として、他の実施形態を示す。下記の他の実施形態では、第１の実施形態と異なる部分を中心に説明する。下記の他の実施形態において、第１の実施形態と同様の機能を有する部分は、同一の参照符号を付し、説明を省略する。
【００７４】
（第２の実施形態）
図９は、本発明の第２の実施形態に係る収納家具１ａの斜視図である。収納家具１ａは、第１の実施形態と異なり、床に自立させることができる程度の大きさを有している。すなわち、収納家具１ａの外側枠体は、自立可能なように、極端に高くなっていない。また、好ましくは、収納家具１ａは、足板５ａを底面に備える。これにより、収納家具１ａを壁などに取り付けなくてもよい。収納家具１ａは、移動が可能なように、取っ手４０を上側面板６に有する。取っ手４０は、折りたたみ可能である。ただし、取っ手４０は、必須の構成ではない。このように、収納家具１ａを自立可能な床置き型にしてもよい。この場合、たとえば、リビングや寝室などの隅に、収納家具１ａを載置しておき、日用品や防災用具などを収容しておくとよい。また、取っ手４０を備えることによって、避難時に、収納家具１ａをそのまま鞄のように持って逃げることが可能となる。防災時に収納家具１ａを持ち出すために、収納家具１ａの内部に保存食が収納されていていると良い。また、収納家具１ａは、避難所で、寝かせて机として使われても良いし、椅子として使われても良い。また、日常用途のために、収納家具１ａの内部にドライヤーや化粧品が収納されていても良い。この場合、収納家具１ａの前面には、鏡が取り付けられていると良い。なお、上側面板６の上に、何か物品を置いても良い。なお、収納家具１ａは、電源を供給するために、家庭用のコンセントに接続されるプラグを備えていても良い。
【００７５】
（第３の実施形態）
図１０は、本発明の第３の実施形態に係る収納家具１ｂの斜視図である。収納家具１ｂは、第１の実施形態における鏡１２の代わりに、薄型テレビ５０を備える。なお、薄型テレビ５０の代わりに、収納家具１ｂは、ラジオやオーディオ機器、防犯装置、非常警報装置、テレビ電話など、その他の電子機器を備えていても良い。このように、収納家具１ｂに電子機器を備え付けることによって、スペースを有効に活用することが可能となる。
【００７６】
（第４の実施形態）
図１１は、本発明の第４の実施形態に係る収納家具１ｃの斜視図である。収納家具１ｃは、開口部８に扉６０を備える。なお、扉６０は、完全に取り外し可能な蓋体に置き換わっても良い。蓋体を用いる場合、前面板２と当該蓋体とは、面ファスナーなどによって、取り外し可能であると良い。なお、扉６０には錠が取り付けられていても良い。これにより、収納家具を金庫としても使用可能となる。このように、開口部８を開閉可能にすることによって、デザイン性が向上する。
【００７７】
（第５の実施形態）
図１２は、本発明の第５の実施形態に係る収納家具１ｄの斜視図である。収納家具１ｄは、開口部８の周囲を示すように、蓄光部７０を備える。これにより、暗くなったとしても、開口部８の位置を視認することが可能となる。さらに、収納家具１ｄは、鏡１２の周囲を示すように、無機ＥＬシート７１を備える。これにより、暗くても、姿を見ることができる。なお、無機ＥＬシート７１の代わりに、有機ＥＬシートや蛍光灯、ＬＥＤなどその他の発光部材が用いられても良い。
【００７８】
（第６の実施形態）
図１３は、本発明の第６の実施形態に係る収納家具１ｅの斜視図である。収納家具１ｅは、第２の棚板組７ｂ〜７ｂの側に、開閉可能な扉８０を備える。これにより、第２の棚板組７ｂ〜７ｂに収容されている物品を、扉８０側からも取り出すことができ、使い勝手が向上する。なお、第１の棚板組７ａ〜７ａの側に、扉が取り付けられていても良い。このように、前面板２の開口部８以外の場所に開閉可能な扉を取り付けても良い。
【００７９】
（第７の実施形態）
図１４は、本発明の第７の実施形態に係る収納家具１ｆの斜視図である。第７の実施形態では、第１の実施形態と異なり、第１の棚板組７ａ〜７ａは無くなっている。このように、本発明においては、上下に配置された棚板は、少なくとも一組存在すれば良い。逆に、第２の棚板組７ｂ〜７ｂを無くして、第１の棚板組７ａ〜７ａだけの構成にしてもよい。また、開口部８は、右側に設けられているが、左側に設けられていても良い。すなわち、開口部８は、一組の棚板の右の一方端から手を入れることが可能な位置に配置されていても良いし、一組の棚板の左の一方端から手を入れることが可能な位置に配置されていても良い。玄関などに収納家具１ｆを設置する場合、棚板７ｂを片側だけに設けて、開口部を玄関ドア側から見えない方に向けておけば、来客時に、収納家具１ｊの内部が客に見られることを防止できる。
【００８０】
（第８の実施形態）
図１５は、本発明の第８の実施形態に係る収納家具１ｇの斜視図である。第８の実施形態では、前面板２に開口部８ａ及び８ｂが形成されている。また、開口部８ａ及び８ｂに対応するように、発光部材１１ａ及び１１ｂが設けられている。また、面ファスナー１０は、開口部８ａ側及び開口部８ｂ側の両方に設けられている。このように、第２の棚板組７ｂ〜７ｂの右の一方端から開口部８ａを介して手を入れることができるようになっており、かつ、第２の棚板組７ｂ〜７ｂの左の一方端から開口部８ｂを介して手を入れることができるようになっていても良い。すなわち、本発明において、開口部は、一組の棚板の右及び／又は左の一方端から手を入れることが可能な大きさの開口であればよい。開口部が二つ以上あれば、緊急時に、複数の人が同時に防災用具を取り出すことができる。
【００８１】
（第９の実施形態）
図１６は、本発明の第９の実施形態に係る収納家具１ｈの内部正面図である。図１６では、前面板２が分解された状態における収納家具１ｈの内部が示されている。図１６において、開口部８に相当する位置が、想像線によって表現されている。図１７は、収納家具１ｈの斜視図である。なお、図１６及び図１７では、図面を見やすくするために、発光部材１１の記載が省略されている。第９の実施形態において、収納家具１ｈは、上下のスライド部材１００，１００及び柱部材２００を備える。
【００８２】
スライド部材１００は、背面板６の上部及び下部に取り付けられている。図１８は、スライド部材１００の構造を示す斜視図である。なお、背面板６の下部に取り付けられたスライド部材１００も、図１８に示す構造と同様の構造を有する。スライド部材１００は、断面がＬ字状となっている。スライド部材１００は、右側面部１０３と、左側面部１０２と、上面部１０５と、背面部１０４とを含む。背面部１０４は、内側に、板状の第１の磁石部１０１を有する。柱部材２００は、円柱状の柱である。柱部材２００は、ウレタン素材や発泡スチロール素材、アルミ、スチール、ステンレス、合成樹脂などの軽量素材によって形成されている。柱部材２００は、上下に、円周上に巻かれた第２の磁石部２０１を有する。第１の磁石部１０１と第２の磁石部２０１とは、相異なる磁極に着磁されている。第１の磁石部１０１と第２の磁石部２０１とは、磁力で結合する。これにより、柱部材２００は、棚板７ａ，７ｂにおける開口部８９に形成された空間に立脚するように保持される。
【００８３】
このように、円柱状の柱部材２００の上下を磁石によって固定することによって、柱部材２００を左右に転がすことができる。なお、柱部材２００が左右に転がることができるような形状であれば、柱部材２００は、円柱状で無くても良い。
【００８４】
柱部材２００の表面には、蓄光シールや蓄光塗料などによって、蓄光処理が施されている。これにより、柱部材２００は、図示を省略した発光部材１１の光や室内の照明の光、太陽光などを蓄えることができる。なお、第９の実施形態において、発光部材１１が設けられていなかったとしても、柱部材２００は、室内の照明の光や太陽光などを蓄えることができる。したがって、発光部材１１は、第９の実施形態における必須の構成要素ではない。なお、柱部材２００の蓄光処理が施されていなくても、柱部材２００は目隠しとなるので、蓄光処理は、第９の実施形態における必須の構成要素ではない。
【００８５】
図１７に示すように、柱部材２００を右側に移動させておけば、棚板７ａ側を隠すことができる。なお、図１７では、棚板７ａの一部が視認できるような大きさの柱部材２００を用いているが、棚板７ａが完全に隠れるような大きさの柱部材２００が用いられても良い。棚板７ｂ側についても、柱部材２００を左側に移動させておけば、隠すことができる。棚板７ａに収容されている物品を取り出す場合、柱部材２００を転がして左側に移動させれば良い。逆に、棚板７ｂに収容されている物品を取り出す場合、柱部材２００を転がして右側に移動させれば良い。柱部材２００が右端に移動した場合、柱部材２００は、右側面部１０３に当たるので、柱部材２００の動きが静止する。一方、柱部材２００が左端に移動した場合、柱部材２００は、左側面部１０２に当たるので、柱部材２００の動きが静止する。
【００８６】
柱部材２００が円柱状である場合、開口部８の前面側が、柱部材２００の前面側の曲面の大きさだけ、隙間を有することになる。よって、柱部材２００が目隠しになりながらも、できる限り、開口部８の隙間を広く確保することができる。
【００８７】
このように、第９の実施形態では、磁石と柱部材という簡易な構成で、棚板側を目隠しすることが可能となる。
【００８８】
なお、スライド部材１００は断面Ｌ字状であるので、柱部材２００を前面側に容易に抜き取ることできる。よって、棚板側を目隠しする必要が無い場合、柱部材２００を抜き取れば良い。
【００８９】
なお、図１９に示すように、スライド部材１００を断面コの字状にするために、スライド部材１００は、前面部１０６を有していても良い。これにより、柱部材２００が簡単には抜き取れなくなる。
【００９０】
なお、上記では、スライド部材１００は、背面板６に取り付けられているとしたが、断面Ｌ字状のスライド部材１００を用いる場合でも、断面コの字状のスライド部材１００を用いる場合でも、スライド部材１００は、前面板２側の開口部８上下内側に取り付けられても良い。
【００９１】
なお、柱部材２００をスライドさせる機構は、図１６〜図１９に示した磁石を用いる機構に限られるものではない。たとえば、スライド部材１００を断面コの字状にして、柱部材２００の上下に、ボールベアリングなどの摩擦を軽減する手段を設けて、柱部材２００を移動させるようにしても良い。摩擦を軽減する手段としては、ボールベアリングの他、スライド部材１００及び柱部材２００の上下の表面にテフロン（登録商標）加工を施して、滑りやすくしても良い。なお、特別な摩擦軽減手段を設けなくても、柱部材２００が移動可能であればよく、本発明において、摩擦軽減手段は設けられなくても良い。また、スライド部材１００を周知のスライド金具にし、柱部材２００の上下を当該スライド金具に取り付けるようにしても良い。
【００９２】
図２４は、他のスライド部材１００ａの構成を示す斜視図である。スライド部材１００ａは、リング状部材２０２と、コの字状の着脱部材２０３とを含む。リング状部材２０２は、柱部材２０２に取り付けられている。リング状部材２０２は、磁石に着脱可能な金属製である。着脱部材２０３は、磁石である。スライド部材１００ａと同様の構成が、柱部材２００に上下に設けられている。たとえば、リング状部材２０２の直径は、スライド部材１００ａの奥行きと略同一である。リング部材２０２と着脱部材２０３とが接着する。柱部材２００を左右に移動させれば、磁力によって、柱部材２００が着脱部材２０３に接着した状態で、左右に移動する。このようにして、スライド部材１００ａを構成しても良い。なお、リング状部材２０２が磁石製で、着脱部材２０３が金属製であっても良い。
【００９３】
このように、本発明において、立脚する柱部材を左右に移動可能に保持するスライド手段を設けることによって、棚板部分を目隠しすることができる。
【００９４】
（第１０の実施形態）
図２０は、本発明の第１０の実施形態に係る収納家具１ｉの内部正面図である。図２０では、前面板２が分解された状態における収納家具１ｉの内部が示されている。図２０において、開口部８に相当する位置が、想像線によって表現されている。収納家具１ｉは、第１の実施形態において、棚板７ａを有していた箇所に、スライド金具７ｄ及びスライド棚板７ｃ、並びに、スライドボックス７ｅを備える。スライド金具７ｄは、周知のあらゆるスライド金具である。スライド棚板７ｃは、スライド金具７ｂにスライド可能に取り付けられている。スライドボックス７ｅは、下棚板７ｆと、上面板７ｈと、側面板７ｇと、背面板７ｉとを含む。これにより、スライド板７ｃ及びスライドボックス７ｅを左右にスライドさせることができる。よって、スライド板７ｃ又はスライドボックス７ｅを開口部８までスライドさせることによって、物品の取り出しが容易になる。
【００９５】
なお、スライドボックス７ｅは、下棚板７ｆを含んでいるので、スライドボックス７ｅ自体も一種の棚板と考えられる。
【００９６】
（第１１の実施形態）
図２１は、本発明の第１１の実施形態における発光部材１１ｃの断面図である。図２１は、図１におけるＡ−Ａ線に相当する箇所の断面図である。発光部材１１ｃは、（有機又は無機）ＥＬシート３０１と、凹樹脂板３０２と、鏡面処理部３０３と、（有機又は無機）ＥＬシート３０４と、凸樹脂板３０５とを含む。ＥＬシート３０１、凹樹脂板３０２、鏡面処理部３０３、ＥＬシート３０４、及び凸樹脂板３０５は、それぞれ、開口部８の大きさに対応して、上下に連続的に形成されている。ＥＬシート３０１、凹樹脂板３０２、鏡面処理部３０３、ＥＬシート３０４、及び凸樹脂板３０５は、それぞれ、貼り付けられている。凹樹脂板３０２は、ＥＬシート３０１側が平坦で、鏡面処理部３０３側が凹面である。鏡面処理部３０３は、凹樹脂板３０２の凹面又はＥＬシート３０４の背面に施された鏡面処理である。凸樹脂板３０５は、ＥＬシート３０４側が凸面で、反対側が平坦である。
【００９７】
ＥＬシート３０１から発せられる光は、鏡面処理部３０３で反射して、凹樹脂板３０２の左右端から出力される。これにより、棚板７ａ，７ｂに光が届き、棚板７ａ，７ｂに収容されている物品を確認しやすくなる。
【００９８】
ＥＬシート３０４から発せられる光は、凸樹脂板３０５を介して、発光部材１１ｃの前面から出力される。これにより、開口部８が照らされて、開口部８の位置が確認しやすくなる。
【００９９】
このように、ＥＬシート３０１，３０４を二重構造にして、一方のＥＬシート３０１が側面を照らすために利用され、他方のＥＬシート３０４が前面を照らすために利用されることにより、棚の内部及び開口部の両方が確認しやすくなる。
【０１００】
なお、鏡面処理部３０３が設けられていなくても、ＥＬシート３０４の背面である程度光は反射する。よって、鏡面処理部３０３は、発光部材１１ｃに設けられていなくても良い。また、凸樹脂板３０５が設けられていなくても、ＥＬシート３０４の光は、開口部８を照らす。よって、凸樹脂板３０５は、発光部材１１ｃに設けられていなくても良い。なお、ＥＬシート３０１が発する光の反射を効率的に側面に伝達するには、ＥＬシート３０４が凸状に配置されていた方が良いが、ＥＬシート３０１とＥＬシート３０４とが平行に配置されていたとしても、ＥＬシート３０１が発する光は、ある程度は側面から出力される。よって、ＥＬシート３０１とＥＬシート３０４との間の樹脂板は、凹状で無くても良い。
【０１０１】
（第１２の実施形態）
図２２は、本発明の第１２の実施形態に係る収納家具１ｊの斜視図である。収納家具１ｊは、前面板２と、背面板４と、右側面板３ｂと、左側面板３ａと、上側面板６と、下側面板５とを備える。一組の棚板７ｂは、前面板２と背面板４との間において所定の間隔で上下に配置されている。一組の棚板７ｂの端部と右側面板３ｂとの間には前面板２を設けないことによって、開口部８ｃが形成されている。なお、一組の棚板７ｂの端部と左側面板３ａとの間に前面板２を設けないことによって、開口部が形成されても良い。また、一組の棚板７ｂの端部と右側面板３ｂ及び左側面板３ａとの間の両方に前面板２を設けないことによって、二つの開口部が形成されても良い。
【０１０２】
このように、第１２の実施形態では、一組の棚板７ｂの右及び／又は左の一方端から手を入れることが可能な大きさの少なくとも一つの開口部８ｃを形成することによって、使い勝手が良くかつ大容量の収納家具１ｊを提供することができる。
【０１０３】
なお、開口部８ｃの部分の背面板４に、フック部４００を設けても良い。フック部４００は、右側面板３ｂに設けても良い。玄関などに収納家具１ｊを設置する場合、棚板７ｂを片側だけに設けて、開口部を玄関ドア側から見えない方に向けておけば、来客時に、収納家具１ｊの内部が客に見られることを防止できる。
【０１０４】
なお、発光部材（図示せず）が背面板４の任意の場所に設けられて、棚板７ｂの内容物を照らすようにしても良い。
【０１０５】
（第１３の実施形態）
図２３は、本発明の第１３の実施形態に係る収納家具１ｋの分解斜視図である。図２３において、収納家具１ｋは、第１の実施形態と異なり、背面板４が設けられていない。背面板の代わりに、柱板４０１，４０２，４０３，４０４が棚板７ａ，７ｂを固定するために設けられている。右側面板３ｂ、左側面板３ａ、上側面板６、及び下側面板５を含む枠体は、箱状の金属又は耐震補強材料等からなる耐震性枠体４０５の中に収容される。収納家具１ｋは、壁面内の柱（図示せず）に固定される。これにより、柱に耐震性枠体４０５が固定されることとなるので、建物自体の耐震性能が向上する。
【０１０６】
なお、図２３では、第１の実施形態に類似の収納家具１ｋを耐震性枠体４０５で覆って、壁面内の柱に固定することとしたが、第１の実施形態以外の収納家具についても、外側を耐震性枠体４０５で覆って、壁面内の柱に固定されても良い。なお、耐震性枠体４０５をここでは箱状であるとしたが、背面部分がない外枠だけの耐震性枠体４０５が用いられても良い。なお、図２３では、柱板４０１，４０２，４０３，４０４によって棚板７ａ，７ｂを固定することとしたが、第１の実施形態と同様、前面板２及び／又は背面板４によって棚板７ａ，７ｂを固定しても良い。なお、図２３に示すように、背面板４を用いない場合は、発光部材１１を耐震枠体４０４に取り付けても良い。
【０１０７】
（その他の変形例）
上記全ての実施形態では、収納家具は外側枠体によって箱状の外筐によって構成されることとした。しかし、一組の棚板が直接壁面に取り付けられ、前面板が壁面及び／又は棚板に取り付けられ、開口部が一組の棚板の一方端に設けられていても良い。すなわち、本発明において、背面板、右側面板、左側面板、上側面板、及び下側面板は必須の構成ではない。また、前面板以外は、骨組みだけであっても良い。
【０１０８】
なお、本発明において、開口部からは見えない棚板が設けられていても良い。
【０１０９】
なお、収納家具の内部に、コンセントを設けても良い。当該コンセントを用いて、携帯電話が充電されると良い。なお、コンセントを内部に設けることによって、ほこりが入るのを防止することができる。
【０１１０】
なお、収納家具の内部に、発光部材１１以外の照明を備えても良い。当該照明は、収納家具の外部に設けられたスイッチによってオンオフされると良い。
【０１１１】
なお、棚板の位置は、ダボなどによって上下に可動できるようになっていても良い。
【０１１２】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【０１１３】
本発明に係る収納家具は、物品を収納することができる。
【符号の説明】
【０１１４】
１，１ａ，１ｂ，１ｃ，１ｄ，１ｅ，１ｆ，１ｇ，１ｈ，１ｉ，１ｊ，１ｋ  収納家具
２  前面板
３ａ  左側面板
３ｂ  右側面板
４  背面板
５  下側面板
５ａ  足板
６  上側面板
７ａ，７ｂ  棚板
８，８ａ，８ｂ，８ｃ  開口部
９，２３，７０  蓄光部
１０，２１  面ファスナー
１１，１１ａ，１１ｂ，１１ｃ  発光部材
１２  鏡
１３  防災用ネットショルダー
１４  帯状部材
１５，１６，１７  網状袋体
２０ａ  消火剤
２０ｂ  懐中電灯
２０ｃ  防煙フード
２２  空間
３０，３１  柱
３２ａ，３２ｂ  固定金具
３３ｃ，３３ｄ  Ｌ字金具
４０  取っ手
５０  薄型テレビ
６０，８０  扉
７１  無機ＥＬシート
１００，１００ａ  スライド部材
１０１  第１の磁石部
１０２  左側面部
１０３  右側面部
１０４  背面部
１０５  上面部
１０６  前面部
２００  柱部材
２０１  第２の磁石部
２０２  リング状部材
２０３  着脱部材
７ｄ  スライド金具
７ｃ  スライド棚板
７ｅ  スライドボックス
７ｆ  下棚板
７ｈ  上面板
７ｇ  側面板
７ｉ  背面板
３０１，３０４  ＥＬシート
３０２  凹樹脂板
３０３  鏡面処理部
３０５  凸樹脂板
４００  フック部
４０１，４０２，４０３，４０４  柱板
４０４  耐震性枠体
【図１】
2010284494.tif 000003
【図２】
2010284494.tif 000004
【図３】
2010284494.tif 000005
【図４】
2010284494.tif 000006
【図５】
2010284494.tif 000007
【図６】
2010284494.tif 000008
【図７】
2010284494.tif 000009
【図８】
2010284494.tif 000010
【図９】
2010284494.tif 000011
【図１０】
2010284494.tif 000012
【図１１】
2010284494.tif 000013
【図１２】
2010284494.tif 000014
【図１３】
2010284494.tif 000015
【図１４】
2010284494.tif 000016
【図１５】
2010284494.tif 000017
【図１６】
2010284494.tif 000018
【図１７】
2010284494.tif 000019
【図１８】
2010284494.tif 000020
【図１９】
2010284494.tif 000021
【図２０】
2010284494.tif 000022
【図２１】
2010284494.tif 000023
【図２２】
2010284494.tif 000024
【図２３】
2010284494.tif 000025
【図２４】
2010284494.tif 000026